(57)【特許請求の範囲】
【請求項１】
熱除去能力を有する熱インクジェットプリンタにおいて、
（ａ）インク本体を保持するようになっている熱インクジェットプリントヘッドであって、
（ｉ）前記インク本体に流体連通するようになっている加熱要素と、
（ｉｉ）前記加熱要素に熱的に連通して該加熱要素から前記インク本体に熱を伝える熱除去構造と、
を有するプリントヘッドと、
（ｂ）前記加熱要素に結合されたコントローラと、
を備え、
前記熱除去構造は多孔質である、プリンタ。
【請求項２】
熱除去能力を有する熱インクジェットプリンタにおいて、
（ａ）インク本体を保持するようになっている熱インクジェットプリントヘッドであって、
（ｉ）前記インク本体に流体連通するようになっている加熱要素と、
（ｉｉ）前記加熱要素に熱的に連通して該加熱要素から前記インク本体に熱を伝える熱除去構造と、
を有するプリントヘッドと、
（ｂ）前記加熱要素に結合されたコントローラと、
を備え、
前記熱除去構造は、内部に冷却剤流路を形成し、
前記熱除去構造は、さらに、前記加熱要素と前記流路とを相互接続する熱伝導体ブリッジを備えている、プリンタ。
【請求項３】
熱除去能力を有する熱インクジェットプリンタにおいて、
（ａ）内部にインク本体を保持するようになっている熱インクジェットプリントヘッドであって、
（ｉ）前記インク本体に流体連通して熱を発生して前記インク本体を加熱するようになっており、該インク本体内に気泡が形成されるようにする、抵抗加熱要素と、
（ｉｉ）前記加熱要素に熱的に連通し前記インク本体に流体連通して、前記加熱要素から前記インク本体に熱を伝える、熱除去構造と、
を有するプリントヘッドと、
（ｂ）前記加熱要素に結合されて、該加熱要素に複数の電気パルスを制御可能に供給して、該加熱要素を通電する、コントローラと、
を備え、
前記熱除去構造は、
前記加熱要素に結合されて、該加熱要素を支持し該加熱要素から自らを通して熱を伝える、熱伝導支持部材と、
前記支持部材に結合され前記インク本体に流体連通して、前記支持部材から前記インク本体に熱を伝える、熱伝導ヒートシンクと、
を備え、
前記ヒートシンクは多孔性であって前記インク本体をろ過している、プリンタ。
【請求項４】
熱除去能力を有する熱インクジェットプリンタにおいて、
（ａ）内部にインク本体を保持するようになっている熱インクジェットプリントヘッドであって、
（ｉ）前記インク本体に流体連通して熱を発生して前記インク本体を加熱するようになっており、該インク本体内に気泡が形成されるようにする、抵抗加熱要素と、
（ｉｉ）前記加熱要素に熱的に連通し前記インク本体に流体連通して、前記加熱要素から前記インク本体に熱を伝える、熱除去構造と、
を有するプリントヘッドと、
（ｂ）前記加熱要素に結合されて、該加熱要素に複数の電気パルスを制御可能に供給して、該加熱要素を通電する、コントローラと、
を備え、
前記熱除去構造は、
前記加熱要素に結合されて、該加熱要素を支持し該加熱要素から自らを通して熱を伝える、熱伝導支持部材と、
前記支持部材に結合され前記インク本体に流体連通して、前記支持部材から前記インク本体に熱を伝える、熱伝導ヒートシンクと、
を備え、
前記ヒートシンクは、内部に熱伝導冷却剤を封入する冷却チャンバを形成する封入容器を備え、
前記封入容器は、前記インク本体内に突出して前記封入容器の伝熱表面積を増大する隆起部を形成し、該隆起部は、前記チャンバに熱的に連通する凹みを内部に形成し、該凹みは、前記冷却剤を収容するようになっている、プリンタ。
【請求項５】
熱除去能力を有する熱インクジェットプリンタにおいて、
（ａ）内部にインク本体を保持するようになっている熱インクジェットプリントヘッドであって、
（ｉ）前記インク本体に流体連通して熱を発生して前記インク本体を加熱するようになっており、該インク本体内に気泡が形成されるようにする、抵抗加熱要素と、
（ｉｉ）前記加熱要素に熱的に連通し前記インク本体に流体連通して、前記加熱要素から前記インク本体に熱を伝える、熱除去構造と、
を有するプリントヘッドと、
（ｂ）前記加熱要素に結合されて、該加熱要素に複数の電気パルスを制御可能に供給して、該加熱要素を通電する、コントローラと、
を備え、
前記熱除去構造は、それに沿って冷却剤が通過する冷却剤流路を内部に形成し、
前記熱除去構造は、さらに、前記加熱要素と前記流路とを相互接続して前記加熱要素から前記流路に熱を伝える熱伝導体ブリッジを備えている、プリンタ。
【請求項６】
熱除去能力を有する熱インクジェットプリントヘッドにおいて、
（ａ）インク本体を保持するようになっている、インクジェットカートリッジシェルと、
（ｂ）前記インクカートリッジシェル内に配置され、前記インク本体と流体連通するようになっている、加熱要素と、
（ｃ）前記加熱要素に熱的に連通して、該加熱要素から前記インク本体に熱を伝える、熱除去構造と、
を備え、
前記熱除去構造は多孔質である、プリントヘッド。
【請求項７】
熱除去能力を有する熱インクジェットプリントヘッドにおいて、
（ａ）インク本体を保持するようになっている、インクジェットカートリッジシェルと、
（ｂ）前記インクカートリッジシェル内に配置され、前記インク本体と流体連通するようになっている、加熱要素と、
（ｃ）前記加熱要素に熱的に連通して、該加熱要素から前記インク本体に熱を伝える、熱除去構造と、
を備え、
前記熱除去構造は、内部に冷却剤流路を形成し、
前記熱除去構造は、さらに、前記加熱要素と前記流路とを相互接続する熱伝導体ブリッジを備えている、プリントヘッド。
【請求項８】
熱除去能力を有する熱インクジェットプリンタの製造方法において、
（ａ）インク本体に流体連通するようになっている加熱要素を設けるステップと、
（ｂ）前記加熱要素から前記インク本体に熱を伝えるために、該加熱要素に熱的に連通するように熱除去構造を配置するステップと、
（ｃ）前記加熱要素にコントローラを結合するステップと、
を含み、
前記熱除去構造を配置するステップは、多孔性の熱除去構造を配置するステップを含む、方法。
【請求項９】
熱除去能力を有する熱インクジェットプリンタの製造方法において、
（ａ）インク本体に流体連通するようになっている加熱要素を設けるステップと、
（ｂ）前記加熱要素から前記インク本体に熱を伝えるために、該加熱要素に熱的に連通するように熱除去構造を配置するステップと、
（ｃ）前記加熱要素にコントローラを結合するステップと、
（ｄ）前記熱除去構造内に冷却剤を収容する冷却チャンバを形成するステップと、
（ｅ）前記熱除去構造から外向きに突出し、前記チャンバに熱的に連通する中空の内部を有して、前記冷却剤で満たされるようになっている隆起部を形成するステップと、
を含む、方法。
【請求項１０】
熱除去能力を有する熱インクジェットプリンタの製造方法において、
（ａ）インク本体に流体連通するようになっている加熱要素を設けるステップと、
（ｂ）前記加熱要素から前記インク本体に熱を伝えるために、該加熱要素に熱的に連通するように熱除去構造を配置するステップと、
（ｃ）前記加熱要素にコントローラを結合するステップと、
（ｄ）前記熱除去構造内に冷却剤流路を形成するステップと、
（ｅ）前記加熱要素と前記流路とに熱伝導体ブリッジを相互接続するステップと、
を含む、方法。
【請求項１１】
熱除去能力を有する熱インクジェットプリントヘッドの製造方法において、
（ａ）インク本体を保持するようになっているインクカートリッジシェルを設けるステップと、
（ｂ）前記インク本体と流体連通するようになっている加熱要素を、前記インクカートリッジシェル内に配置するステップと、
（ｃ）前記加熱要素に熱的に連通して、該加熱要素から前記インク本体に熱を伝える熱除去構造を配置するステップと、
を含み、
前記熱除去構造は多孔質である、方法。
【請求項１２】
熱除去能力を有する熱インクジェットプリントヘッドの製造方法において、
（ａ）インク本体を保持するようになっているインクカートリッジシェルを設けるステップと、
（ｂ）前記インク本体と流体連通するようになっている加熱要素を、前記インクカートリッジシェル内に配置するステップと、
（ｃ）前記加熱要素に熱的に連通して、該加熱要素から前記インク本体に熱を伝える熱除去構造を配置するステップと、
（ｄ）前記熱除去構造内に冷却剤を収容する冷却チャンバを形成するステップと、
（ｅ）前記熱除去構造から外向きに突出し、前記チャンバに熱的に連通する中空の内部を有して、前記冷却剤で満たされるようになっている隆起部を形成するステップと、
を含む、方法。
【請求項１３】
熱除去能力を有する熱インクジェットプリントヘッドの製造方法において、
（ａ）インク本体を保持するようになっているインクカートリッジシェルを設けるステップと、
（ｂ）前記インク本体と流体連通するようになっている加熱要素を、前記インクカートリッジシェル内に配置するステップと、
（ｃ）前記加熱要素に熱的に連通して、該加熱要素から前記インク本体に熱を伝える熱除去構造を配置するステップと、
（ｄ）前記熱除去構造内に冷却剤流路を形成するステップと、
（ｅ）前記加熱要素と前記流路とに熱伝導体ブリッジを相互接続するステップと、
を含む、方法。
【発明の詳細な説明】
【０００１】
【発明の属する技術分野】
本発明は一般にプリンタ装置および方法に関し、より詳細には、熱除去能力を強化した、高速印刷に適合し熱抵抗器の寿命を長くした熱インクジェットプリンタ、およびそのプリンタの製造方法に関する。
【０００２】
【従来の技術】
インクジェットプリンタは、画像通りにインク滴を記録媒体上に噴出することによって、その記録媒体上に画像を生成する。このプリンタが、普通紙に印刷することができるだけでなく、ノンインパクト、静音、低電力消費、低コストで動作する、という利点が、インクジェットプリンタが市場に広く受け入れられている主な理由である。
【０００３】
熱インクジェットプリンタの場合、プリントヘッド構造は、複数のノズルを含むノズル板をそれぞれ有する、単一または複数のインクカートリッジを含む。それぞれのノズルは、プリントヘッドカートリッジ内に形成した対応するインク噴出チャンバに連絡している。カートリッジ内のそれぞれのインク噴出チャンバは、例えばイエロー、マゼンタ、シアン、またはブラックのインクを含んでいるインク供給槽から、インクを受け取る。この点に関して、インク供給槽はカートリッジ内にあって、「搭載された」すなわち内部インク槽を構成していてもよい。または、「軸外」の、すなわち離れたインク供給槽から、管路によって、それぞれのカートリッジに補給してもよい。いずれにせよ、それぞれのインク噴出チャンバはそれぞれのノズルに対向して形成されているので、インク噴出チャンバとノズルとの間にインクがたまることができる。また、それぞれのインク噴出チャンバ内には、抵抗ヒータが配置されており、抵抗ヒータは、コントローラに接続されている。コントローラは、一連の電気パルスを選択的にヒータに供給して、ヒータを作動させる。コントローラがヒータに電気パルスを供給すると、ヒータは、インクのうちのヒータに隣接する部分を加熱し、インクのうちのヒータに隣接するその部分が気化して気泡を形成するようにする。気泡が形成されることによって、インク噴出チャンバ内のインクが加圧され、インク滴がノズルから噴出して、ノズルに対向して配置された記録媒体上にマークを生成するようになっている。
【０００４】
印刷中、プリントヘッドは、記録媒体上に１スウォースの情報を印刷するために、コントローラがインク噴出チャンバのうちの個々のものを選択的に発射するときに、記録媒体の幅を横切って動く。そのスウォースの情報の印刷後、プリンタはスウォース幅だけ記録媒体を前進させ、上述の方法で、別のスウォースの情報を印刷する。記録媒体上に所望の画像が印刷されるまで、このプロセスが繰り返される。このような熱インクジェットプリンタは既知であり、例えば、Buckその他への米国特許第４，５００，８９５号、Cowgerその他への米国特許第４，７９４，４０９号、Bakerその他への米国特許第４，７７１，２９５号、Ｋｅｅｆｅその他への米国特許第５，２７８，５８４号、およびHewlett-Packard Journal, Vol. 39, No.4（1988年8月）において説明されている。
さらに、印刷解像度を上げるために、ノズルとそれぞれのヒータとを、プリントヘッド上で互いに比較的接近して配置するのが、現在の慣例である。さらに、プリンタ速度を増大するために、プリントヘッド内に比較的多数のノズルと対応するヒータとを含むことによって、印刷スウォースの幅を大きくする。プリンタ速度増大をさらに支援するために、ヒータは通常、比較的高周波数で発射される。
【０００５】
【特許文献１】
米国特許第６，１２０，１３９号明細書
【０００６】
【発明が解決しようとする課題】
しかし、印刷解像度とプリンタ速度を上げるためにこのような努力をすると、結果としてプリントヘッド内に過度の熱が発生してしまう可能性がある、ということがわかっている。プリントヘッド内での過度の熱発生は、望ましくない。この点に関して、熱インクジェットプリントヘッドにおける気泡形成は温度の影響を直接受け、過度の熱発生は、適切な気泡形成（例えば、気泡の大きさ）を妨げてしまう。また、過度の熱が発生すると、インク滴の噴出が早くなり過ぎる可能性がある。インク滴の噴出が早くなり過ぎると、それが今度は、記録媒体上に印刷異常（例えば、意図しないインクマーク）を招く可能性がある。さらに、過度の熱が発生することによって、意図しない気泡がインク内に蓄積し、それによって出口ノズルがふさがれ、必要なときにインク滴の噴出が妨げられてしまう可能性がある。さらに、過度の熱が発生すると、結局はヒータの動作寿命が短くなってしまう可能性がある。
【０００７】
熱インクジェットプリントヘッドを冷却して、過度の熱発生を緩和する技術が知られている。Winthrop Childersその他の名義で本願の譲受人に譲渡されている、２０００年９月１９日に発行された「Ink Flow Design To Provide Increased Heat Removal From An Inkjet Printhead And To Provide For Air Accumulation」という名称の米国特許第６，１２０，１３９号によって、このような技術のひとつが開示されている。Childersその他の特許は、基板を含むプリントヘッド装置を有するインクジェットプリンタを開示している。基板上には、インク噴出チャンバと、チャンバそれぞれのインク噴出ヒータ抵抗器とが、形成されている。フローディレクタ（flow director）が、インク流を基板上へと誘導し、インクが液滴噴出チャンバに向かって流れるときに基板からインク内に熱が伝わる。液滴噴出チャンバにおいて、温まったインクが記録媒体上に噴出される。このようにして、フローディレクタは、噴出インク滴への伝熱が最大になるようにインク流路を振り向けるのに役立つ。したがって、噴出したインク滴は、基板から、したがってプリントヘッド装置から熱を除去するヒートシンクの役割を果たすように見える。しかし、インク滴自体がヒートシンクの役割を果たす能力は限られている。インク滴の体積が必然的に限られているからである。Ｃｈｉｌｄｅｒｓその他の装置はその機能を意図どおりに果たすが、限られた体積の噴出インク滴が持つことができる熱除去能力以上に熱除去を強化することが望ましい。したがって、Ｃｈｉｌｄｅｒｓその他の装置において熱除去を強化すれば、プリンタ速度が増大しヒータ寿命が長くなる。
【０００８】
したがって、高速印刷に適合し熱抵抗器の寿命を長くした、熱除去能力を強化した熱インクジェットプリンタ、およびそのプリンタの製造方法が、必要とされている。
【０００９】
【課題を解決するための手段】
本発明は、その広範な形において、熱除去能力を強化した熱インクジェットプリンタに存在する。プリンタは、インク本体を保持するようになっている熱インクジェットプリントヘッドと、コントローラとを特徴とする。プリントヘッドは、インク本体に流体連通するようになっている加熱要素と、加熱要素に熱的に連通して加熱要素からインク本体に熱を伝える熱除去構造とを含む。コントローラは、加熱要素に結合している。
【００１０】
本発明の１態様によれば、熱インクジェットプリンタは、内部にインク本体を保持するようになっている熱インクジェットプリントヘッドを含む。プリントヘッドは、熱伝導基板と基板に結合した抵抗加熱要素とを含む、インクカートリッジを含む。カートリッジはまた、加熱要素に対向して配置したノズルオリフィスを有する、面板も含む。加熱要素は、インク本体に流体連通し、熱を発生して、インク本体のうちの加熱要素に近接した部分を加熱するようになっている。インク本体のうちの加熱要素に近接したその部分が所定温度に達すると、インク本体内の加熱要素とノズルオリフィスとの間に、気泡が形成される。気泡の存在によって、ノズルオリフィスからインク滴が押し出され、記録媒体上に画像を形成する。加熱要素には伝導熱除去構造が熱的に連通しており、この伝導熱除去構造はまた、インク本体に流体連通してもいる。加熱要素から基板を通って熱除去構造内へと、熱が伝わる。すると熱除去構造は熱をインク本体に引き渡す。インク本体は、熱除去を強化するための「無限」のヒートシンクとして機能する。
【００１１】
本発明の特徴のひとつは、加熱要素が発生する熱の除去を強化する熱除去構造を設けることである。
【００１２】
本発明の利点は、印刷速度が増大するということである。
【００１３】
本発明の他の利点は、本発明を利用することによって、適切な気泡形成（例えば、気泡の大きさ）が可能になる、ということである。
【００１４】
本発明のさらに他の利点は、インク滴の噴出が早くなり過ぎるリスクを低減する、ということである。
【００１５】
本発明のこれらおよびその他の特徴および利点は、本発明の例示的実施形態を示し説明する図面とともに以下の詳細な説明を読めば、当業者には明白になろう。
【００１６】
本発明のさらに他の利点は、意図しない気泡がインク内で蓄積してしまうリスクを低減する、ということである。
【００１７】
さらに、本発明の他の利点は、本発明を利用することによって、加熱要素の動作寿命が長くなる、ということである。
【００１８】
特許請求の範囲は、本発明の主題を特に指摘しはっきりと特許を請求しているが、以下の説明を添付図面とともに検討すれば、本発明がよりよく理解されると考えられる。
【００１９】
【発明の実施の形態】
本発明は、特に、本発明による装置の一部を形成する、またはより直接に本発明による装置と協働する、要素に向けられる。具体的に示したり説明していない要素は、当業者に既知のさまざまな形態をとってもよい、ということが理解されなければならない。
【００２０】
したがって、図１を参照して、記録媒体３０上に画像２０を印刷する、概して１０で表す熱インクジェットプリンタを示す。記録媒体３０は、反射性の記録媒体（例えば、紙）であっても、透過性の記録媒体（例えば、透明シート）であっても、または、画像２０を受け取るのに好適なその他のタイプの記録媒体であってもよい。プリンタ１０は、ほどなく開示する各理由によって第１の開口部４５と第２の開口部４７とを有するハウジング４０を含む。ハウジング４０内には、ほどなく開示する各理由によって開口部５５を画定している直立フレーム５０が配置されている。フレーム５０には、第１のモータ６０が接続されている。第１のモータ６０はステッパモータでもよく、細長いスピンドル７０とかみ合ってスピンドル７０を回転させる。スピンドル７０上には、複数のローラ８０が固定して搭載されている。第１のモータ６０によってスピンドル７０が回転すると、ローラ８０も回転する。フレーム５０には、細長い摺動バー９０も接続されている。摺動バー９０は、スピンドル７０に平行な方向を向いている。摺動バー９０には、インクカートリッジホルダ１００が摺動可能にかみ合っている。インクカートリッジホルダ１００は、複数の略長方形のインクカートリッジ１１０ａ、１１０ｂ、１１０ｃ、１１０ｄを保持するようになっている。インクカートリッジ１１０ａ、１１０ｂ、１１０ｃ、１１０ｄは、それぞれイエロー、マゼンタ、シアン、およびブラックのインク等の着色剤を収容している。
【００２１】
再び図１を参照して、フレーム５０には、概して１２０で表すベルト駆動アセンブリも接続されている。ベルト駆動アセンブリ１２０は、複数の対向して配置した、フレーム５０に回転可能に接続したローラ１３０ａ、１３０ｂを含む。ローラ１３０ｂ等、ローラのうちの一方が、反転可能な第２のモータ１４０とかみ合っている。第２のモータ１４０はステッパモータであってもよく、ローラ１３０ｂを回転する。この場合ローラ１３０ａは、ローラ１３０ｂが第２のモータ１４０によって回転する間、自由に回転するよう構成されている。インクカートリッジホルダ１００に取り付けた連続ベルト１５０が、ローラ１３０ａ、１３０ｂに巻き付き、両者間の距離にわたっている。したがって、以上の説明から、ローラ１３０ｂが第２のモータ１４０とかみ合っているので、第２のモータ１４０を動作することによってローラ１３０ｂが回転する、ということが理解できる。ベルト１５０がローラ１３０ｂとかみ合っているので、ローラ１３０ｂが回転するとベルト１５０も回転する。もちろん、ローラ１３０ａはベルト１５０とかみ合い自由に回転可能なので、ベルト１５０が回転するとローラ１３０ａもまた回転する。このようにして、反転可能な第２のモータ１４０がベルト１５０を、最初は時計回りの向きに、そして次は反時計回りの向きに回転すると、カートリッジホルダ１００は、摺動バー９０に沿って左右に摺動する、すなわち往復運動をする。このように左右に往復運動することによって、カートリッジホルダ１００とカートリッジホルダ１００が保持するカートリッジ１１０ａ、１１０ｂ、１１０ｃ、１１０ｄとが、記録媒体３０の幅を横切って、記録媒体３０上に１スウォースの情報を印刷することができる。そのスウォースの情報の印刷後、スピンドル７０と、関連するローラ８０とが、上で開示した方法で回転して、スウォース幅だけ記録媒体３０を前進させ、別の１スウォースの情報を印刷する。記録媒体３０上に所望の画像２０が印刷されるまで、このプロセスが繰り返される。フレーム５０には、コントローラ１６０も接続されている。コントローラ１６０は、電気流路すなわち電線１７０ａ等によって、インクカートリッジ１１０ａ、１１０ｂ、１１０ｃ、１１０ｄに電気的に接続して、インクカートリッジ１１０ａ、１１０ｂ、１１０ｃ、１１０ｄの動作を選択的に制御し、インクカートリッジ１１０ａ、１１０ｂ、１１０ｃ、１１０ｄがオンデマンドでインク滴１８０を噴出するようになっている（図２を参照されたい）。さらに、図１に示すように、コントローラ１６０は、電気流路すなわち電線１７０ｂ等によって、第２のモータ１４０に電気的に接続して、第２のモータ１４０の動作を制御する。さらにコントローラ１６０は、別の電気流路すなわち電線（図示せず）等によって、第１のモータ６０に電気的に接続して、第１のモータ６０の動作を制御する。さらにコントローラ１６０は、プリンタ１０に所属するピッカー機構（図示せず）に接続して、ピッカー機構の動作を制御する。ピッカー機構は、第２の開口部４７を通ってハウジング４０に挿入可能な記録媒体供給ビンまたはトレイ１９０から、個々の記録媒体３０のシートを「摘む」。この点に関して、ピッカー機構は、個々の記録媒体３０を供給トレイ１９０から「摘み」、次に開口部５５を通ってローラ８０とかみ合うように供給して、記録媒体３０のシートが、インクカートリッジ１１０ａ、１１０ｂ、１１０ｃ、１１０ｄとローラ８０との間に置かれるようにする。したがって、以上の説明から、コントローラ１６０は、第１のモータ６０、第２のモータ１４０、ピッカー機構、およびインクカートリッジ１１０ａ、１１０ｂ、１１０ｃ、１１０ｄを同期して動作するように制御し、記録媒体３０上に所望の画像２０を生成する、ということが理解できる。コントローラ１６０への入力は、パーソナルコンピュータやスキャナ等の画像プロセッサ（図示せず）からであってもよい。
【００２２】
次に図２および図３を参照して、第１の実施形態の、インクカートリッジ１１０ａ等、インクカートリッジ１１０ａ、１１０ｂ、１１０ｃ、１１０ｄのうちの代表的なものを示す。インクカートリッジ１１０ａは、カートリッジシェル２００を含む。カートリッジシェル２００は、第１の側壁２１０ａと、第１の側壁２１０ａに対向しそれと平行に配置した第２の側壁２１０ｂとを含み、さらに、側壁２１０ａ、２１０ｂに一体的に接続された頂壁２１０ｃを含む。底壁すなわちノズル板２１０ｄが、側壁２１０ａ、２１０ｂにわたり両者に一体的に接続され、かつ、頂壁２１０ｃに対向しそれと平行に配置されている。ノズル板２１０ｄを貫いて、複数の整列したノズルオリフィス２２０ａ、２２０ｂが形成され、ノズルオリフィス２２０ａ、２２０ｂは互いに平行な列になるように配置されている。もちろん、前壁（図示せず）が、側壁２１０ａ、２１０ｂ、頂壁２１０ｃ、およびノズル板２１０ｄに、一体的に接続されている。さらに、後壁２２５が、側壁２１０ａ、２１０ｂ、および頂壁２１０ｃに一体的に接続され、前壁と平行に配置されている。したがって、すぐ上の説明から、側壁２１０ａ、２１０ｂ、頂壁２１０ｃ、ノズル板２１０ｄ、前壁、および後壁２２５が一緒になって、インク本体２４０を収容するチャンバ２３０を画定している、ということが理解できる。
【００２３】
依然として図２および図３を参照して、チャンバ２３０内には、長方形の熱伝導ダイすなわち基板２５０が配置されている。基板２５０は、頂面２５５と、頂面２５５に対向する底面２５７とを画定している。基板２５０は、ノズル板２１０ｄから間隔を置いて配置されて両者の間に間隙を画定し、ほどなく開示する方法で気泡２６０を形成する空間の余裕をみておく。基板２５０は、好ましくは二酸化ケイ素で形成されているが、希望であれば、プラスチック、金属、ガラス、またはセラミックで形成されていてもよい。さらに基板２５０は、ノズル板２１０ｄに結合したベース２６５に支持されている。底面２５７には、長方形の基板２５０の長さに沿って間隔を置いて配置し、それぞれのノズルオリフィス２２０ａに対向して配置した、複数の整列した第１の加熱要素すなわち第１の薄膜熱抵抗器２７０ａが結合している。さらに、底面２５７には、長方形の基板２５０の長さに沿って間隔を置いて配置し、それぞれのノズルオリフィス２２０ｂに対向して配置した、複数の整列した第２の加熱要素すなわち第２の薄膜熱抵抗器２７０ｂが結合している。それぞれの抵抗器２７０ａ、２７０ｂは、前述のコントローラ１６０に電気接続しており、抵抗器２７０ａ、２７０ｂへの電流の流れをコントローラ１６０が選択的に制御するようになっている。もちろん、コントローラ１６０がいずれの抵抗器２７０ａ、２７０ｂに電気を供給しても、その抵抗器２７０ａ、２７０ｂは熱を発生し、それによって、その抵抗器２７０ａ、２７０ｂに隣接するインクを加熱して、気泡２６０を形成する。言い換えれば、コントローラ１６０は、抵抗器２７０ａ、２７０ｂに複数の電気パルスを制御可能に供給して選択的に抵抗器２７０ａ、２７０ｂに通電し、気泡２６０が形成されるようにする。気泡２６０はインク本体２４０を加圧して、抵抗器２７０ａ、２７０ｂに対向して配置したノズルオリフィス２２０ａ、２２０ｂから、インク滴１８０を押し出す、すなわちしぼり出す。１９９７年１０月３１日出願の「Ink Delivery System for High Speed Printing」という名称で本願の譲受人に譲渡されている米国特許出願番号第０８／９６２，０３１号においては、このような熱抵抗器２７０ａ、２７０ｂと、関連する電気回路とがより充分に開示されている。チャンバ２３０をインク槽領域２８５と発射チャンバ領域２８７の２つに分けるフィルタ２８０も、チャンバ２３０内に配置され側壁２１０ａ、２１０ｂに接続されている。フィルタ２８０の目的は、インク本体２４０から粒状物質をろ過して取り除き、そのような粒状物質が移動してノズルオリフィス２２０ａ、２２０ｂをふさいでしまうことがないようにする、ということである。したがって、インク本体２４０は、インク槽領域２８５からフィルタ２８０を通って発射チャンバ領域２８７に流入し、抵抗器２７０ａ、２７０ｂに接触して、抵抗器２７０ａ、２７０ｂがインク本体２４０に流体連通するようにする。
【００２４】
上述のように、プリントヘッド上の熱抵抗器の数および密度を上げることと、熱抵抗器の発射周波数を上げることとによって、印刷解像度と印刷速度とを増大する、という従来技術の取り組みでは、結果としてプリントヘッド内に過度の熱が発生してしまう可能性がある。プリントヘッド内に過度の熱が発生すると、適切な気泡形成が妨げられ、インク滴の噴出が早くなり過ぎ、意図しない気泡がインク内に蓄積し、結局は抵抗器の動作寿命が短くなってしまう可能性がある。したがって、気泡の形成後にプリントヘッド内で抵抗器が発生する熱を除去することが、非常に望ましい。
【００２５】
したがって、図２において最もよくわかるように、基板２５０の頂面２５５に、長方形の熱除去構造２９０が接続されている。熱除去構造２９０は、熱伝導率が２１２°Ｆ（１００°Ｃ）において約１１９Ｂｔｕ／ｈｒ  ｆｔ  °Ｆであるアルミニウム等、熱伝導率が高い材料でできている。または、熱除去構造２９０は、ケイ酸カリウム、ケイ酸鉛、三元系炭化物（ternary carbide）、三元系酸化物、および三元系窒化物等、熱伝導率が温度の上昇とともに上昇し温度の下降とともに下降するのがわかっている材料でできていてもよい。熱除去構造２９０の幅は基板２５０の長さにわたっており、好ましくは、好適な熱伝導率が高い接着剤によって、基板２５０に接続されている。さらに、以上の説明から、熱除去構造２９０は、熱除去構造２９０がフィルタ２８０を貫いて突出するような高さであってもよい、ということが理解できる。
【００２６】
依然として図２を参照して、抵抗器２７０ａ、２７０ｂのうちの選択したものをコントローラ１６０が通電すると、気泡２６０の形成時に抵抗器２７０ａ、２７０ｂから基板２５０に熱が伝わる。この熱は、基板２５０を通って熱除去構造２９０に伝導する。熱除去構造２９０はこの熱を、周囲のインク本体２４０に引き渡す。この点に関して、インク本体２４０は体積が約２０立方センチメートルであり、したがって、「無限」のヒートシンクとして効果的に機能する。インク滴１８０によって基板２５０を離れる熱もいくらかはあるが、インク滴１８０の体積（例えば、約４から２０ピコリットルの間）は限られている。したがって、インク滴１８０によって基板２５０から奪われる熱の量も、同様に限られている。しかし本発明の熱除去構造２９０は、本質的により多くの熱を基板２５０から除去する。熱除去構造２９０がこの熱を、略無限のヒートシンク（すなわち、インク本体２４０）に引き渡すからである。
【００２７】
図４を参照して、第２の実施形態のインクカートリッジ１１０ａ、１１０ｂ、１１０ｃ、１１０ｄのうちの代表的なものを示す。インクカートリッジ１１０ａ等の、この第２の実施形態のインクカートリッジは、熱除去構造２９０が、熱伝導率が２１２°Ｆ（１００°Ｃ）において約９．４Ｂｔｕ／ｈｒ  ｆｔ  °Ｆであるステンレス鋼等の多孔性の焼結フィルタ材料である、ということを除いては、第１の実施形態のインクカートリッジと略同様である。熱除去構造２９０は、底面２５７以外の基板２５０のすべての表面を覆い、カートリッジ１１０ａの側壁２１０ａ、２１０ｂ、後壁２２５、および前壁と接触する状態まで延びている。すぐ上の説明から、熱除去構造２９０は、インク本体２４０のろ過を行うとともに基板２５０から熱を除去するという、二重の機能を果たす、ということが理解できる。したがって、熱除去構造２９０によって、好都合なことに、別個のフィルタ部材が不要になる。
【００２８】
図５を参照して、第３の実施形態のインクカートリッジ１１０ａ、１１０ｂ、１１０ｃ、１１０ｄのうちの代表的なものを示す。インクカートリッジ１１０ａ等の、この第３の実施形態のインクカートリッジは、熱除去構造２９０が、所定温度の水やインク等の水性冷却剤３０５を収容する冷却チャンバ３００を形成している、ということを除いては、第１の実施形態のインクカートリッジと略同様である。この所定温度は、インク本体２４０の温度よりも低くてよい。冷却剤３０５は基板２５０の頂面２５５と接触し、基板２５０から冷却剤３０５に熱が伝わるようになっている。熱除去構造２９０はまた、インク本体２４０内へと延び、冷却剤３０５で満たされた、複数の指状の突出部すなわち隆起部３１０も形成している。隆起部３１０が存在することによって、熱除去構造２９０の表面積が増大し、熱除去構造２９０（したがって基板２５０）からインク本体２４０への伝熱が強化される。
【００２９】
図６を参照して、第４の実施形態のインクカートリッジ１１０ａ、１１０ｂ、１１０ｃ、１１０ｄのうちの代表的なものを示す。インクカートリッジ１１０ａ等の、この第４の実施形態のインクカートリッジは、熱除去構造２９０と基板２５０とが１つの単体部材として一体的に形成されている、ということを除いては、第１の実施形態のインクカートリッジと略同様である。すなわち、間の溝３２５によって分離された、複数の互いに隣接し細長く互いに平行なフィン３２０が、基板２５０の頂面２５５上に取り付けられている、またはエッチングによって形成されている。フィン３２０と、関連する溝３２５とは、長方形の基板２５０の長さに沿って長手方向に延びている。フィン３２０が存在することによって、単体になっている熱除去構造２９０および基板２５０の表面積が増大し、インク本体２４０への伝熱が強化される。
【００３０】
図７を参照して、第５の実施形態のインクカートリッジ１１０ａ、１１０ｂ、１１０ｃ、１１０ｄのうちの代表的なものを示す。インクカートリッジ１１０ａ等の、この第５の実施形態のインクカートリッジは、熱除去構造が、例えば側壁２１０ａの内側に接続された回転可能なプロペラ３４０の形態の、第１の実施形態の撹拌器３３０を含む、ということを除いては、第１の実施形態のインクカートリッジと略同様である。プロペラ３４０は、プロペラ３４０を回転させるモータ３３５とかみ合っている。プロペラ３４０はインク本体２４０に流体連通してインク本体２４０を撹拌し、基板２５０からインク本体２４０に伝わる熱が、インク本体２４０全体にわたって均一に拡散するようになっている。インク本体２４０全体にわたって熱を均一に拡散することによって、基板２５０付近からの熱除去を支援する。言い換えれば、プロペラ３４０によって、インク槽領域２８５と発射チャンバ領域２８７において熱の強制対流が行われ、自然に生じる対流のみで達成可能であるよりも伝熱がより強化される。
【００３１】
図８を参照して、第６の実施形態のインクカートリッジ１１０ａ、１１０ｂ、１１０ｃ、１１０ｄのうちの代表的なものを示す。インクカートリッジ１１０ａ等の、この第６の実施形態のインクカートリッジは、熱除去構造が、カートリッジ１１０ａの側壁２１０ａに配置した揺動可能な弾性を有する膜３６０の形の、第２の実施形態の撹拌器３５０を含む、ということを除いては、第１の実施形態のインクカートリッジと略同様である。膜３６０は、ゴムでもよく、膜３６０をインク本体２４０内へと伸ばすピストン部材３６５とかみ合っている。ピストン部材３６５は、ピストン部材３６５を作動させるピストンアクチュエータ３６７とかみ合っており、ピストン部材３６５が両方向の矢印３６８の方向に往復運動するようになっている。膜３６０は、揺動する方法でインク本体２４０内へと弾性的に伸びてインク本体２４０を撹拌し、基板２５０からインク本体２４０に伝わる熱が、インク本体２４０全体にわたって均一に拡散するようになっている。インク本体２４０全体にわたって熱を均一に拡散することによって、基板２５０付近からの熱除去を支援する。言い換えれば、膜３６０によって、インク槽領域２８５と発射チャンバ領域２８７において熱の強制対流が行われ、自然に生じる対流のみで達成可能であるよりも伝熱がより強化される。
【００３２】
図９および図１０を参照して、第７の実施形態のインクカートリッジ１１０ａ、１１０ｂ、１１０ｃ、１１０ｄのうちの代表的なものを示す。インクカートリッジ１１０ａ等の、この第７の実施形態のインクカートリッジは、熱除去構造が、基板２５０とノズル板２１０ｄとに接続されその両者の間に置かれた細長い隔壁３７０を含む、ということを除いては、第１の実施形態のインクカートリッジと略同様である。ほどなく開示する各理由によって、隔壁３７０内には、複数の第１の凹み３７５ａと第２の凹み３７５ｂとが形成されている。隔壁３７０は、長方形の基板２５０の長さにわたっており、抵抗器２７０ａと２７０ｂとの間に広がっている。このようにして隔壁３７０は、発射チャンバ領域２８７を、第１のインク流路（ink flow channel）３８０ａと第２のインク流路３８０ｂとに分割している。第２のインク流路３８０ｂは、第１のインク流路３８０ａと平行に延びている。第１の凹み３７５ａ内には第１の抵抗器２７０ａが配置されており、第２の凹み３７５ｂ内には第２の抵抗器２７０ｂが配置されている。さらに、第１のインク流路３８０ａ内に、それぞれの第１の抵抗器２７０ａに隣接して、第１の障壁ブロック４１０ａが配置されている（そのうちの２つのみを示す）。第１の障壁ブロック４１０ａは、ノズル板２１０ｄと基板２５０とに接続されている。さらに、第２のインク流路３８０ｂ内に、それぞれの第２の抵抗器２７０ｂに隣接して、第２の障壁ブロック４１０ｂが配置されている（そのうちの２つのみを示す）。第２の障壁ブロック４１０ｂは、ノズル板２１０ｄと基板２５０とに接続されている。障壁ブロック４１０ａ、４１０ｂの目的は、抵抗器２７０ａ、２７０ｂの発射事象毎に発生する、凹み３７５ａ／ｂを通る冷却インクの流れを増大させるために、圧力差を凹み３７５ａ／ｂ内に生成する、ということである。
【００３３】
図１１および図１２を参照して、第８の実施形態のインクカートリッジ１１０ａ、１１０ｂ、１１０ｃ、１１０ｄのうちの代表的なものを示す。インクカートリッジ１１０ａ等の、この第８の実施形態のインクカートリッジは、１つの単体部材として熱除去構造２９０が基板２５０と一体的に形成されており、基板２５０と熱除去構造２９０とを含む単体構造に沿って長手方向に延びる第１のトンネル４１２ａと第２のトンネル４１２ｂとを形成するようになっている、ということを除いては、第１の実施形態のインクカートリッジと略同様である。ポンプ（図示せず）が、両方向の矢印４１５ａ、４１５ｂで示す方向に、冷却剤をトンネル４１２ａ、４１２ｂに出し入れして、基板２５０と熱除去構造２９０とを組み合わせたものから熱を除去する。
【００３４】
図１３ないし図１５を参照して、第９の実施形態のインクカートリッジ１１０ａ、１１０ｂ、１１０ｃ、１１０ｄのうちの代表的なものを示す。インクカートリッジ１１０ａ等の、この第９の実施形態のインクカートリッジは、熱除去構造２９０が、概して４２０で表す、基板２５０から熱を除去する長方形のラジエータアセンブリを含む、ということを除いては、第１の実施形態のインクカートリッジと同様である。ラジエータアセンブリ４２０は、基板２５０の頂面２５５に接続されたラジエータブロック４３０を含む。ラジエータブロック４３０は、好適な熱伝導率が高い接着剤等によって、頂面２５５に接続されている。ラジエータブロック４３０はカバー４３５を含み、ラジエータブロック４３０内に長手方向に形成された曲がりくねったインク流路４４０を形成している。また、ラジエータブロック４３０は、流路４４０にインクが入るためのインク入口４４５と、流路４４０からインクが出るためのインク出口４４７とを形成している。流路４４０内のインクは、流路４４０内に配置された概して４５０で表す第１の実施形態の内部マイクロポンプアセンブリの動作によって流れる。マイクロポンプアセンブリ４５０は、概して４６０で表すホイールを含む。ホイール４６０は、自由に回転可能な回転軸４７０を含む。回転軸４７０のまわりには、複数の互いに間隔を置いて配置した磁気スポーク４８０が配置され、回転軸４７０に接続されている。スポーク４８０を、スポーク４８０に電磁力を及ぼす複数の電磁石４９０が取り囲んでいる。電磁石４９０は、電磁石４９０を選択的に作動させる電気接点４９５に接続されている。この点に関して、電気接点４９５は、コントローラ１６０に接続され、電気接点４９５に電流を制御可能に供給することができる。電磁石４９０は時計回りの方法で順次通電され、磁気スポーク４８０が、スポーク４８０に及ぼされる電磁力のために、矢印４９７の向きに時計回りの方法で回転するようにする。このようにして、マイクロポンプアセンブリ４５０はインクをインク流路４４０を通って動かし、基板２５０から熱を除去する。言い換えれば、基板２５０は発射チャンバ領域２８７からラジエータブロック４３０に熱を伝え、続いて、ポンプによってインク流路４４０を通って動かされたインクが、その熱を除去し、インク本体２４０に引き渡す。または、曲がりくねったインク流路４４０を基板２５０の裏側にエッチングによって形成して、それによって、ラジエータアセンブリ４２０を不要にし、カバー４３５のみを必要とするようにしてもよい。
【００３５】
図１６および図１７を参照して、第１０の実施形態のインクカートリッジ１１０ａ、１１０ｂ、１１０ｃ、１１０ｄのうちの代表的なものを示す。インクカートリッジ１１０ａ等の、この第１０の実施形態のインクカートリッジは、内部マイクロポンプアセンブリ４５０がないということを除いては、第９の実施形態のインクカートリッジと同様である。その代わりに、ラジエータブロック４３０の外部にあり出口４４７に接続されたポンプ５００が、インクをインク流路４４０を通って動かし、基板２５０から熱を除去する。基板２５０から除去した熱は、ポンプ５００によってインク本体２４０に引き渡される。または、曲がりくねったインク流路４４０を基板２５０の裏側にエッチングによって形成して、それによって、ラジエータアセンブリ４２０を不要にし、カバー４３５およびポンプ５００のみを必要とするようにしてもよい。
【００３６】
図１８および図１９を参照して、第１１の実施形態のインクカートリッジ１１０ａ、１１０ｂ、１１０ｃ、１１０ｄのうちの代表的なものを示す。インクカートリッジ１１０ａ等の、この第１１の実施形態のインクカートリッジは、ラジエータブロック４３０がなく、第１の実施形態のマイクロポンプアセンブリ４５０の代わりに、概して５１０で表す第２の実施形態のマイクロポンプアセンブリを用いる、ということを除いては、第９の実施形態のインクカートリッジと同様である。第２の実施形態のマイクロポンプアセンブリ５１０は、基板２５０の頂面２５５に形成した流路すなわち溝５３０内に配置した、複数の互いに間隔を置いて配置した熱抵抗器５２０を含む。溝５３０は、基板２５０に沿って長手方向に延びており、それぞれが抵抗器５２０を収容するアルコーブ５３７を含む複数の相互接続されたセル５３５を含む。それぞれのセル５３５はさらに、狭窄部５４０へと先細になっていく拡張部５３９を含む。抵抗器５２０は、タイミングをとった発射パルスによってインクを溝５３０を通って動かす。この機構は当該技術分野において概して、差動補充（differential refill）と呼ばれている。または、所望であれば、抵抗器５２０ではなく圧電部材５２５を用いてもよい。
【００３７】
図２０ないし図２２を参照して、第１２の実施形態のインクカートリッジ１１０ａ、１１０ｂ、１１０ｃ、１１０ｄのうちの代表的なものを示す。インクカートリッジ１１０ａ等の、この第１２の実施形態のインクカートリッジは、熱除去構造２９０が、基板２５０内を長手方向に走る、第１の管（canal）５５０ａと第２の管５５０ｂ等の複数の互いに平行なインク流路を含む、ということを除いては、第９の実施形態のインクカートリッジと同様である。伝導体ブリッジ（conductor bridge）５６０ａが、抵抗器２７０ａを、その関連する管５５０ａに相互接続している（図示）。また、伝導体ブリッジ５６０ｂが、抵抗器２７０ｂを、その関連する管５５０ｂに相互接続している（図示）。抵抗器２７０ａ、２７０ｂが発生する熱は、熱伝導体ブリッジ５６０ａ、５６０ｂによって管５５０ａ、５５０ｂ内に伝導される。第１の管５５０ａおよび第２の管５５０ｂに沿って流れるインクは、熱伝導体ブリッジ５６０ａ、５６０ｂと接触し、抵抗器２７０ａ、２７０ｂが発生した熱を熱伝導体ブリッジ５６０ａ、５６０ｂが引き取り、その熱を、管５５０ａ、５５０ｂ内のインクに引き渡すようにする。このようにして、熱はインク本体２４０に引き渡される。
【００３８】
【発明の効果】
上記説明から、本発明の利点は、印刷速度が増大するということである、ということが理解できる。これは、プリントヘッドからの伝熱が強化され、それによって抵抗器の発射周波数を上げることができるからである。抵抗器の発射周波数が上がれば、印刷速度を増大することができる。
【００３９】
本発明の他の利点は、本発明を利用することによって、適切な気泡形成（例えば、気泡の大きさ）が可能になる、ということである。これは、熱除去を強化することによって、過度の熱発生が改善されるからである。
【００４０】
本発明のさらに他の利点は、インク滴の噴出が早くなり過ぎるリスクを低減する、ということである。これは、過度に熱が発生するとインク滴の噴出が早くなり過ぎる可能性があるが、本発明によって過度の熱が除去されるからである。
【００４１】
本発明のさらに他の利点は、意図しない気泡がインク内で蓄積してしまうリスクを低減する、ということである。過度に熱が発生すると、意図しない気泡が蓄積してしまうが、本発明を利用することによって、過度の熱発生が緩和される。
【００４２】
さらに、本発明の他の利点は、本発明を利用することによって、抵抗ヒータの動作寿命が長くなる、ということである。これは、過度の熱が発生すると経時的に抵抗ヒータが損なわれるが、本発明を利用することによって、過度の熱発生が緩和されるからである。
【００４３】
本発明を、その好ましい実施形態を特に参照して説明したが、当業者であれば、本発明から逸脱することなく、好ましい実施形態の各要素にさまざまな変更を行ってもよく、好ましい実施形態の各要素の代わりに均等物を用いてもよい、ということを理解しよう。例えば、音波もまた、発射チャンバ領域内に導入してインク本体を撹拌し、インク本体内に渦流を生成してもよい。インク本体内に渦流を生成すると、インク本体全体にわたって熱が拡散する。インク本体全体にわたって熱が拡散することによって、熱抵抗器付近からの熱除去が強化される。
【００４４】
したがって、高速印刷に適合し熱抵抗器の寿命を長くした、熱除去能力を強化した熱インクジェットプリンタ、およびそのプリンタの製造方法が、提供される。
【図面の簡単な説明】
【図１】一部を切り欠いて分かりやすくした、複数のインクカートリッジを含むプリントヘッドを含む本発明による熱インクジェットプリンタの斜視図である。
【図２】第１の実施形態のそれぞれのカートリッジの立面図である。
【図３】図２のライン３−３に沿った立面図である。
【図４】第２の実施形態のカートリッジのうちの代表的なものの立面図である。
【図５】第３の実施形態のカートリッジのうちの代表的なものの立面図である。
【図６】第４の実施形態のカートリッジのうちの代表的なものの立面図である。
【図７】第５の実施形態のカートリッジのうちの代表的なものの立面図である。
【図８】第６の実施形態のカートリッジのうちの代表的なものの立面図である。
【図９】第７の実施形態のカートリッジのうちの代表的なものの斜視立面図である。
【図１０】図９のライン１０−１０に沿った部分立面図である。
【図１１】第８の実施形態のカートリッジのうちの代表的なものの斜視部分立面図である。
【図１２】図１１のライン１２−１２に沿った部分立面図である。
【図１３】第９の実施形態のカートリッジのうちの代表的なものの斜視部分立面図である。
【図１４】一部を取り除いて分かりやすくした、第９の実施形態のカートリッジの分解斜視部分立面図である。
【図１５】第９の実施形態のカートリッジの部分図である。
【図１６】第１０の実施形態のカートリッジのうちの代表的なものの斜視部分立面図である。
【図１７】一部を取り除いて分かりやすくした、第１０の実施形態のカートリッジの分解斜視部分立面図である。
【図１８】一部を取り除いて分かりやすくした、第１１の実施形態のカートリッジのうちの代表的なものの分解斜視部分立面図である。
【図１９】第１１の実施形態のカートリッジの部分図である。
【図２０】一部を取り除いて分かりやすくした、第１２の実施形態のカートリッジのうちの代表的なものの分解斜視部分立面図である。
【図２１】第１２の実施形態のカートリッジの部分図である。
【図２２】第１２の実施形態のカートリッジの部分斜視図である。
【符号の説明】
１０：熱インクジェットプリンタ
２０：画像
３０：記録媒体
１８０：インク滴
２４０：インク本体
２６０：気泡
２７０ａ、２７０ｂ：加熱要素
２９０：熱除去構造
【図１】
0004302383.tif 000002
【図２】
0004302383.tif 000003
【図３】
0004302383.tif 000004
【図４】
0004302383.tif 000005
【図５】
0004302383.tif 000006
【図６】
0004302383.tif 000007
【図７】
0004302383.tif 000008
【図８】
0004302383.tif 000009
【図９】
0004302383.tif 000010
【図１０】
0004302383.tif 000011
【図１１】
0004302383.tif 000012
【図１２】
0004302383.tif 000013
【図１３】
0004302383.tif 000014
【図１４】
0004302383.tif 000015
【図１５】
0004302383.tif 000016
【図１６】
0004302383.tif 000017
【図１７】
0004302383.tif 000018
【図１８】
0004302383.tif 000019
【図１９】
0004302383.tif 000020
【図２０】
0004302383.tif 000021
【図２１】
0004302383.tif 000022
【図２２】
0004302383.tif 000023